(57)【特許請求の範囲】
【請求項１】
外周に糸巻き部を有する糸巻き本体の側面に凹部を形成し、前記凹部内に貫通孔を設け、該貫通孔に釣り糸狭持片の筒部を挿入して前記凹部内に前記釣り糸狭持片を保持し、前記貫通孔から露出した前記筒部の底部を押し上げることで前記釣り糸狭持片を前記凹部の内側から外側方向に出没するようにしたことを特徴とする釣用糸巻。
【発明の詳細な説明】
【０００１】
【発明の属する技術分野】
本発明は、釣糸を捲回する釣用糸巻の改良に関する。
【０００２】
【従来の技術】
従来から釣り糸や仕掛けを収納する糸巻きは例えば特開平１０−１６５０６８号公報のように、両側にフランジを形成した糸巻き胴部から成り、さらに、糸巻き胴部に巻回した釣り糸や仕掛けの糸を止める糸止めを有していた。
この糸止めは、主に、フランジに切開状の切り欠き溝を形成し、そこに上記糸の端部を差し込んで挾持させるものであった。
しかし、この様な糸止めでは、糸止め部分が外部と接触し易く、また、糸の端部もフランジ外周に突出しているため糸止めから外れ易かった。
又、例えば、実開昭６０−７７５９号公報には、糸巻き胴部外側の中央に糸止めを設けた釣り用糸巻きが紹介されている。
この糸巻きの糸止めは糸巻き胴部外側の中央の凹部内に止着されて外側に突出されていないため糸止めの部分が外部と接触し難く、また、糸の端部もフランジ外周に突出しないが、糸止めを行うときには凹部内に糸を差し込んで円盤状の糸止めと糸巻き間に挾持するため、糸を差し込むことが難しく、糸止め操作がやりにくかった。
【０００３】
【発明が解決しようとする課題】
解決しようとする問題点は、前記前者では糸止め部分が外部と接触し易く、また、糸の端部もフランジ外周に突出いるため糸止めから外れ易く、前記後者では糸止めを行うときには凹部内に糸を差し込んで円盤状の糸止めと糸巻き間に挾持するため、糸を差し込むことが難しく、糸止め操作がやりにくいことである。
【０００４】
本発明の目的は前記欠点に鑑み、糸止め操作がやり易く確実に糸止め保持できる釣用糸巻を提供することである。
【０００５】
【課題を解決するための手段】
上記課題を解決するために、請求項１に係わる本発明は、外周に糸巻き部を有する糸巻き本体の側面に凹部を形成し、前記凹部内に貫通孔を設け、該貫通孔に釣り糸狭持片の筒部を挿入して前記凹部内に前記釣り糸狭持片を保持し、前記貫通孔から露出した前記筒部の底部を押し上げることで前記釣り糸狭持片を前記凹部の内側から外側方向に出没するようにしたことを要旨とするものである。
【０００６】
【発明の実施の形態】
請求項１の本発明により、釣り糸４が挾み込まれた釣り糸挾持片２ｃと釣り糸挾持片３ｂはフランジ部１ｃ側で凹部１ｄの内側及びの外側に出没自在に設けられているから、釣り糸４が外れ難く、また、釣り糸挾持片２ｃと釣り糸挾持片３ｂを引き出した状態で釣り糸４が挾み込まれるので、糸止め操作が極めて容易になる。
釣り糸挾持片２ｃと釣り糸挾持片３ｂの挾持口βがフランジ部１ｃ側の表面より下側の凹部１ｄ内に押し込まれていると、釣り糸４の外部への引っかかりを防止している。
【０００７】
【実施例】
以下、図示の一実施例によって本発明を説明すると、図１は釣用糸巻の平面図、図２は釣用糸巻の断面側面図、図３は糸止め部材が引き出された釣用糸巻の断面側面図、図４は釣用糸巻の要部拡大断面側面図、図５は釣用糸巻の分解要部拡大断面側面図、図６は糸巻き本体の拡大斜視図である。
【０００８】
釣用糸巻はＡＢＳ樹脂等の合成樹脂で形成された糸巻き本体１と内側糸止め部材２と内側糸止め部材２に一体的に組み合わされた外側糸止め部材３とで構成されている。
糸巻き本体１は中央に孔が開いた円形のフランジ部１ａとその外周に沿って一周する糸巻き胴部１ｂと他側のフランジ部１ｃとが一体で外周側に糸巻き部αが形成され、糸巻き胴部１ｂより内側に凹部１ｄと筒部１ｅが孔開きフランジ部１ａに一体に形成されている。
凹部１ｄは糸巻き部αの糸巻き胴部１ｂで外周を囲まれてその内側にあたる。
筒部１ｅの内周で貫通孔１ｆが形成されている。
筒部１ｅには対向する位置に複数２組の縦溝１ｇが形成されて縦溝１ｇの間に２組の鈎部からなる係止部１ｈが形成されている。
フランジ部１ｃには糸巻き部αに巻回された釣り糸４をフランジ部１ｃの外側に誘導する複数の切り欠き１ｉが形成されている。
【０００９】
内側糸止め部材２は筒部２ａと筒部２ａの底部２ｂと円形で外周が底部２ｂ側に下降した湾曲面を有する釣り糸挾持片２ｃとで形成されている。
底部２ｂの外周は筒部２ａの外周より大径に形成されている。
筒部２ａの外周には鈎状の凹部２ｄと角形の凹部２ｅが形成されている。
筒部２ａの内周には半円状の突起２ｆが形成されている。
外側糸止め部材３は筒部３ａと円形で下面は外周が上向きの湾曲面を有すると釣り糸挾持片３ｂとで形成されている。
筒部３ａの外周には上下に断面半円状の周溝３ｃ、３ｄが形成されている。
釣り糸挾持片３ｂの下面は外周が上向きの湾曲面に形成され、釣り糸挾持片３ｂの上面中心は凹面３ｅに形成されている。
【００１０】
糸巻き本体１に内側糸止め部材２と外側糸止め部材３が組み合わされる時は、糸巻き本体１の貫通孔１ｆ内に内側糸止め部材２の底部２ｂで鈎部１ｈを外側に押圧するようにして筒部２ａが挿入される。
その後内側糸止め部材２の筒部２ａ内に外側糸止め部材３の筒部３ａが挿入され、半円状の突起２ｆが半円状の周溝３ｃまたは３ｄに係止される。
釣り糸挾持片２ｃと釣り糸挾持片３ｂは湾曲面を合掌状に合わせた糸止めが構成されている。
内側糸止め部材２に外側糸止め部材３を一体的に組み合わせた後、糸巻き本体１に組み合わせてもよい。
【００１１】
釣用糸巻に釣り糸４が巻回されて糸止めされる時は、糸巻き本体１の貫通孔１ｆに露出している内側糸止め部材２の底部２ｂが押上られて内側糸止め部材２と外側糸止め部材３が糸巻き本体１のフランジ部１ｃの上方の外側に突出される。
または釣り糸挾持片２ｃと釣り糸挾持片３ｂが引き上げられて内側糸止め部材２と外側糸止め部材３が糸巻き本体１のフランジ部１ｃの上方の外側に突出される。
次に糸巻き部αに釣り糸４が巻回されてフランジ部１ｃの切り欠き１ｉから外側に誘導されて釣り糸挾持片２ｃと釣り糸挾持片３ｂの間の挾持口βに釣り糸４が挾み込まれる。
その後内側糸止め部材２と外側糸止め部材３が凹部１ｄ内に押し込まれる。
内側糸止め部材２と外側糸止め部材３が糸巻き本体１のフランジ部１ｃの上方の外側に引き出された時、糸巻き本体１の鈎部１ｈは角形の凹部２ｅに位置される。
【００１２】
前記のように釣用糸巻が構成されると、釣り糸４が挾み込まれた釣り糸挾持片２ｃと釣り糸挾持片３ｂはフランジ部１ｃ側で凹部１ｄの内側及び外側に出没自在に設けられているから、釣り糸４が外れ難く、また、釣り糸挾持片２ｃと釣り糸挾持片３ｂを引き出した状態で釣り糸４が挾み込まれるので、糸止め操作が極めて容易になる。
釣り糸挾持片２ｃと釣り糸挾持片３ｂの挾持口βがフランジ部１ｃ側の表面より下側の凹部１ｄ内に押し込まれていると、釣り糸４の外部への引っかかりを防止している。
【００１３】
前記説明では、内側糸止め部材２と外側糸止め部材３が糸巻き本体１の凹部１ｄ内に押し込まれるように述べたが、一部がフランジ部１ｃ側の外側に突出していてもよい。
前記説明では、内側糸止め部材２と外側糸止め部材３を設け、夫々に釣り糸挾持片２ｃと釣り糸挾持片３ｂを設けたが、内側糸止め部材２を省略して外側糸止め部材３のみ凹部の内側から外側に出没するようにして、外側糸止め部材３と糸巻き本体１（例えば筒部１ｅ）との間で釣り糸を挾持してもよく、また、外側糸止め部材３を省略して内側糸止め部材２に湾曲面が上向きと下向きの釣り糸挾持片を設けたり、糸巻き本体１の筒部１ｅ上部に湾曲面が上向きの釣り糸挾持片を別体で固定し、下向きの釣り糸挾持片を出没自在に設けてもよい。
【００１４】
【発明の効果】
本発明は、以上説明したような形態で実施され、以下に記載されるような効果を奏する。
【００１５】
請求項１により、釣り糸が挾み込まれた釣り糸挾持片は凹部の内側から外側に出没自在に設けられているから、釣り糸挾持片が凹部ないにあると釣り糸が外れ難く、また、釣り糸挾持片を引き出した状態で釣り糸が挾み込まれるので、糸止め操作が極めて容易になる。
【図面の簡単な説明】
【図１】釣用糸巻の平面図である。
【図２】釣用糸巻の断面側面図である。
【図３】糸止め部材が引き出された釣用糸巻の断面側面図である。
【図４】釣用糸巻の要部拡大断面側面図である。
【図５】釣用糸巻の分解要部拡大断面側面図である。
【図６】糸巻き本体の拡大斜視図である。
【符号の説明】
１  糸巻き本体
１ｄ  凹部
２ｃ、３ｂ  釣り糸挾持片
４  釣り糸
α  糸巻き部
【図１】
0003816830.tif 000002
【図２】
0003816830.tif 000003
【図３】
0003816830.tif 000004
【図４】
0003816830.tif 000005
【図５】
0003816830.tif 000006
【図６】
0003816830.tif 000007